(57)【要約】【課題】高速応答化、特に立ち下がり応答時間を短縮し、「動画ぼやけ」を抑制した高品質な動画対応の液晶表示装置を得る。【解決手段】一方の基板に形成した第１の電極（画素電極）及び第２の電極（共通電極）３とは異なる第３の電極を他方の基板側に形成し、第３の電極５の電位を１フレーム周期内で変化させ、画像表示期間では第１の電極３と第２の電極４間で生じる横電界を利用し、画像非表示期間の初期段階では第１の電極３及び第２の電極４と第３の電極間で生じる縦電界で液晶分子を駆動する。【選択図】        図１
2004354407.tif 000002
【特許請求の範囲】
【請求項１】
少なくとも一方が透明な一対の基板と、前記一対の基板間に挟持された液晶の層と、前記一対の基板の一方にマトリクス状に配列された複数の画素の各画素毎にそれぞれ形成された電極群を有し、
前記電極群の間に電圧を印加して前記液晶の配向方向を制御し、前記一対の基板の外側に設置した光源から入射する光の光量を調整することにより画像表示を行う液晶表示装置であって、
画像表示期間では、前記一対の基板面にほぼ平行な電界により液晶を駆動し、画像非表示期間の初期段階では、前記一対の基板面にほぼ垂直な電界により前記液晶の配向方向を制御する液晶駆動手段を有することを特徴とする液晶表示装置。
【請求項２】
少なくとも一方が透明な一対の基板と、前記一対の基板間に挟持された液晶の層と、前記一対の基板のうちの一方に形成された第１の電極及び第２の電極とを有し、
前記第１の電極と前記第２の電極との間に電圧を印加して前記液晶の配向方向を制御し、前記一対の基板の外側に設置した光源から入射する光の光量を調整して画像表示を行う液晶表示装置であって、
前記一対の基板の前記第１の電極と第２の電極を形成した前記一方の基板に対向する他方の基板上に第３の電極を有し、
画像表示期間では、前記第１の電極と前記第２の電極には異なる電位が与えられ該電極間に生じる基板面にほぼ平行な電界により液晶の配向方向を制御し、
画像非表示期間の初期段階では、前記第１の電極と前記第３の電極には異なる電位が与えられ該電極間に生じる基板面にほぼ垂直な電界と、前記第２の電極と前記第３の電極には異なる電位が与えられ該電極間に生じる基板面にほぼ垂直な電界により液晶の配向方向を制御する液晶駆動手段を有することを特徴とする液晶表示装置。
【請求項３】
前記第１の電極と前記第２の電極は、櫛歯形状であることを特徴とする請求項２に記載の液晶表示装置。
【請求項４】
前記第１の電極と前記第２の電極のうちの一方の電極は櫛歯形状であり、他方の電極は前記各画素のほぼ全面を覆うベタ状電極であり、前記櫛歯形状電極が絶縁膜を介して前記ベタ状電極と重畳していることを特徴とする請求項２に記載の液晶表示装置。
【請求項５】
前記第３の電極は、前記各画素のほぼ全面を覆うベタ状電極であることを特徴とする請求項２乃至４のいずれかに記載の液晶表示装置。
【請求項６】
前記ベタ状電極は、前記複数の画素の各画素で個別駆動されることを特徴とする請求項５に記載の液晶表示装置。
【請求項７】
前記ベタ状電極は、複数の画素の全ての画素で一括駆動できることを特徴とする請求項５に記載の液晶表示装置。
【請求項８】
少なくとも一方が透明な一対の基板と、前記一対の基板間に挟持された液晶の層と、前記基板のうちの一方に形成された第１の電極及び第２の電極とを有し、前記第１の電極と前記第２の電極との間に電圧を印加することにより、前記液晶の配向方向を制御し、前記一対の基板の外側に設置した光源から入射する光の光量を調整して画像表示を行う液晶表示装置であって、
前記一対の基板の前記第１の電極と第２の電極を形成した前記一方の基板に対向する他方の基板上に第３の電極が形成され、
前記第１の電極及前記第２の電極と前記一方の基板との間に絶縁膜を介して形成された第４の電極を有し、
画像表示期間では、前記第１の電極と前記第２の電極間には異なる電位が与えられ該電極間に生じる基板面にほぼ平行な電界により液晶を駆動し、画像非表示期間の初期段階では、前記第３の電極と前記第４の電極には異なる電位が与えられ該電極間に生じる基板面にほぼ垂直な電界により液晶の配向方向を制御する液晶駆動手段を有することを特徴とする液晶表示装置。
【請求項９】
前記第１の電極と前記第２の電極は、櫛歯形状であることを特徴とする請求項８に記載の液晶表示装置。
【請求項１０】
前記第３の電極と前記第４の電極のうち少なくとも一方の電極は、前記各画素のほぼ全面を覆うベタ状電極であることを特徴とする請求項８又は９に記載の液晶表示装置。
【請求項１１】
前記第３の電極と前記第４の電極に有する前記ベタ状電極のうちの少なくとも一方は、前記複数の画素の各画素で個別駆動されることを特徴とする請求項１０に記載の液晶表示装置。
【請求項１２】
前記第３の電極と前記第４の電極に有する前記ベタ状電極のうちの少なくとも一方は、前記複数の画素の全画素で一括駆動されることを特徴とする請求項１０に記載の液晶表示装置。
【請求項１３】
少なくとも一方が透明な一対の基板と、前記一対の基板間に挟持された液晶の層と、前記基板のうち一方に形成された第１の電極及び第２の電極とを有し、
前記第１の電極と前記第２の電極との間に電圧を印加して前記液晶の配向方向を制御し、前記一対の基板の外側に設置した光源から入射する光の光量を調整して画像表示を行う液晶表示装置であって、
前記第１の電極と前記第２の電極が形成した前記一方の基板に対向する他方の基板上に第３の電極及び第４の電極が形成され、
画像表示期間では、前記第１の電極と前記第２の電極には異なる電位が与えられ該電極間に生じる基板面にほぼ平行な電界と、前記第３の電極と前記第４の電極には異なる電位が与えられ該電極間に生じる基板面にほぼ平行な電界により液晶の配向方向を制御し、画像非表示期間の初期段階では、前記第１の電極と前記第３の電極には異なる電位が与えられ該電極間に生じる基板面にほぼ垂直な電界と、前記第２の電極と前記第４の電極には異なる電位が与えられ該電極間に生じる基板面にほぼ垂直な電界により前記液晶の配向方向を制御する液晶駆動手段を有することを特徴とする液晶表示装置。
【請求項１４】
前記第１の電極乃至前記第４の電極は、櫛歯形状であることを特徴とする請求項１３に記載の液晶表示装置。
【請求項１５】
前記第１の電極と前記第３の電極は櫛歯形状であり、前記第２の電極と前記第４の電極は前記各画素のほぼ全面を覆うベタ状電極であり、前記第１の電極は前記第２の電極上に絶縁膜を介して重畳し、さらに前記第３の電極は前記第４の電極上に絶縁膜を介して重畳していることを特徴とする請求項１３に記載の液晶表示装置。
【請求項１６】
前記ベタ状電極は、前記複数の画素の各画素で個別駆動されることを特徴とする請求項１５に記載の液晶表示装置。
【請求項１７】
前記ベタ状電極は、前記複数の画素の全画素で一括駆動されることを特徴とする請求項１５に記載の液晶表示装置。
【請求項１８】
画像非表示期間の初期段階では、前記第１の電極と前記第２の電極の電位はほぼ等しく、前記第３の電極の電位のみが異なることを特徴とする請求項２乃至７のいずれかに記載の液晶表示装置。
【請求項１９】
画像非表示期間の初期段階では、前記第１の電極と前記第２の電極と前記第４の電極の電位がほぼ等しく、前記第３の電極の電位のみが異なることを特徴とする請求項８乃至１２のいずれかに記載の液晶表示装置。
【請求項２０】
画像非表示期間の初期段階では、前記第１の電極と第２の電極の電位がほぼ等しく、前記第３の電極と前記第４の電極との電位がほぼ等しく、さらに前記第１の電極と前記第３の電極の電位が異なることを特徴とする請求項１３乃至１７のいずれかに記載の液晶表示装置。
【発明の詳細な説明】
【０００１】
【発明の属する技術分野】
本発明は、液晶表示装置に係り、特に動画表示に好適なアクティブマトリクス型の液晶表示装置に関する。
【０００２】
【従来の技術】
液晶表示装置は液晶パネルと光源とから構成され、光源からの光量を液晶パネルで調整して画像表示を行う。液晶パネルは、少なくとも一方が透明な一対の基板を所定の間隔をもって配置し、この間隔に液晶を注入して構成される。一対の基板のそれぞれと液晶の層との間には配向膜と呼ばれる高分子薄膜が配置され、液晶の分子を所定の方向（配向方向）に配列させるための配向処理が施されている。また、基板上には画素毎に画素電極や共通電極などの電極が形成され、これら電極間に電圧を印加することにより、液晶分子の配向方向を変化させ、それにより生じる液晶層の光学特性の変化により液晶パネルの光透過率を調整する。
【０００３】
アクティブマトリクス型の液晶表示装置は、基板上に複数の画素をマトリクス状に配置し、各画素ごとに薄膜トランジスタ等のスイッチング素子が配置され、このスイッチング素子で画素の選択を行って所要の当該画素に表示のための電圧を印加するように構成される。
【０００４】
従来のアクティブマトリクス型の液晶表示装置では、主にＴＮ（Ｔｗｉｓｔｅｄ    Ｎｅｍａｔｉｃ）方式が利用されてきたが、このＴＮ方式の液晶表示装置は、その表示原理上、視野角が狭いという特徴を有する。これを改善する手段の一つとして、「特許文献１」「特許文献２」などに開示されたＩＰＳ（Ｉｎ−  Ｐｌａｎｅ    Ｓｗｉｔｃｈｉｎｇ）方式の液晶表示装置が知られている。
【０００５】
図２８はＩＰＳ方式の液晶表示装置の画素部を構成する電極構成例の説明図であり、図２８（ａ）は一画素の平面図、同（ｂ）は同（ａ）のＡ−Ａ’線に沿った断面図、同（ｃ）は同（ａ）のＢ−Ｂ’線に沿った断面図である。また、図２９は図２８に示した一方の基板を対向する他方の基板と共に示す断面図である。そして、図３０はＩＰＳ方式の液晶表示装置の駆動システムを説明する等価回路図である。図２８に示した基板は、一方の基板（スイッチング素子として、通常は薄膜トランジスタを有することからＴＦＴ基板と称する）である。図２８、図２９、図３０において、参照符号１は一対の基板であり、１Ａは一対の基板を構成する一方の基板、１Ｂは他方の基板であり、一方の基板１Ａの内面には第１の電極である画素電極３、第２の電極である共通電極４、走査配線７、信号配線８が絶縁膜１０を介して配置されている。そして、内面の最表面には配向膜１２が形成されている。
【０００６】
他方の基板１Ｂの内面には、カラーフィルタ１４、カラーフィルタを区画するブラックマトリクス１５を有し、オーバーコート膜１３を介して配向膜１２が形成されている。また、各基板１Ａ，１Ｂの外面には偏光板１７Ａ，１７Ｂがそれぞれ積層されている。なお、図３０における参照符号９は薄膜トランジスタ、２１は表示制御装置、２２は走査電極駆動回路、２３は信号電極駆動回路、２４は共通電極駆動回路を示す。
【０００７】
図２８、図２９および図３０に示したように、このＩＰＳ方式の液晶表示装置では、液晶の層（図２９では液晶の層として示してある）を挟持する一対の基板１Ａ、１Ｂのうち、一方の基板１Ａ上にのみ電極群（電極対である第１の電極：画素電極３と第２の電極：共通電極４）が形成される。そして、マトリクス状に形成される走査配線７と信号配線８に囲まれる各画素領域に、画素電極３と共通電極４が配置されている。
【０００８】
画素電極３はスイッチング素子としての薄膜トランジスタＴＦＴ（Ｔｈｉｎ    Ｆｉｌｍ    Ｔｒａｎｓｉｓｔｏｒ）９を介して信号配線８に電気的に接続される。液晶の駆動は、画素電極３と共通電極４との間に生じる基板面にほぼ平行な横電界１８により行われ、液晶の層を構成する分子の配向方向（配向軸）を基板面にほぼ平行な面内で回転させ、外部に配置した図示しない光源からの光透過率を制御する。このため、画面を見る角度によって階調や色調の反転を生じることがなく、従来のＴＮ方式に比べ視野角が広い。また、ＩＰＳ方式の液晶表示装置では色再現性などの表示性能も優れており、今後の大画面液晶モニタや液晶テレビにとって重要な技術である。
【０００９】
【特許文献１】
特公昭６３−２１９０７号公報
【特許文献２】
米国特許明細書第４３４５２４９号
【特許文献３】
特開平１１−２３１３４４号公報
【非特許文献１】
「ホールド型ディスプレイにおける動画表示の画質」（電子情報通信学会技報ＥＩＤ９９−１０    ｐ５５）
【非特許文献２】
「Ａ    Ｎｏｖｅｌ    Ｗｉｄｅ−Ｖｉｅｗｉｎｇ−Ａｎｇｌｅ    Ｍｏｔｉｏｎ−Ｐｉｃｔｕｒｅ    ＬＣＤ（  Ｈ．Ｎａｋａｍｕｒａ，ｅｔ．ａｌ：ＳＩＤ９８    Ｄｉｇｅｓｔ，    ｐｐ．１４３−１４６（  １９９８））」
【００１０】
【発明が解決しようとする課題】
しかしながら、ＩＰＳ方式を含め、従来の液晶表示装置においては、動画像を表示する場合に、その動画像の輪郭が不鮮明になるという「動画ぼやけ」現象を生じる。この動画ぼやけは、画質の劣化を引き起こす大きな問題であり、今後の液晶ＴＶなどの動画対応液晶表示装置においては、これを改善する必要がある。
【００１１】
この「動画ぼやけ」に関する詳細は、例えば「非特許文献１」で述べられており、（１）液晶分子の応答速度が遅い、（２）液晶表示装置は１フレーム内で輝度を保持するホールド型表示である、ことに起因する。特に（１）については、液晶表示装置の根本的な課題であり、これを解決することなく、高品質な動画対応液晶表示装置を得ることは困難である。
【００１２】
例えば、ＩＰＳ方式の液晶表示装置における液晶の立上り応答時間τｏｎ及び立下り応答時間τｏｆｆ  は、下記の（式１）、（式２）で表せることが一般に知られている。
【数１】
2004354407.tif 000003
【数２】
2004354407.tif 000004
ここで、γ１  は液晶の粘度、Δεは誘電率異方性、Ｋ２  は弾性定数、ｄは液晶層の厚み（ギャップ）、Ｅは液晶に印加される電界強度である。
【００１３】
（式１）から分かるように、液晶の立上り応答時間は、液晶の粘度や弾性定数、誘電率などの材料物性に加え、液晶に印加される電界強度に大きく影響される。従って、立上り応答時間を短縮するために、以下２つのアプローチがある。
【００１４】
▲１▼    液晶材料開発によるアプローチ
▲２▼    電界強度の高効率化によるアプローチ
▲１▼については、液晶の低粘度化や、高Δε化などが提案されている。また、▲２▼については、一時的に必要以上の電圧を印加し、実効的な電界強度を大きくするオーバードライブ駆動や、「特許文献３」に示されているように、対向基板側に新規に共通電極を配置し、液晶に印加される電界の効率を向上させる手段が提案されている。このように２つのアプローチ（材料開発と駆動の改善）により十分に立上り応答時間を改善することは可能である。
【００１５】
一方、立下り応答時間は（式２）から分かるように、材料物性だけで決まり、電界強度に影響されないため、上記のオーバードライブ駆動や、「特許文献３」に示された電極構造によって改善することは困難である。現状では、主に液晶材料の低粘度化によってのみ立下り時間を改善しているに過ぎない。しかし、今後の動画対応の液晶表示装置の画質向上を考えれば、特に立下り応答時間のさらなる短縮化は必須であり、液晶材料物性の改良だけでは困難な状況である。
【００１６】
また、特に動画対応の液晶表示装置では、上記「動画ぼやけ」の原因（２）を改善し、インパルス型表示を実現するために、例えば１フレーム内で映像信号を書き込んだ後に黒レベルに相当する信号を書き込み、液晶の透過率を間欠にする黒書き込み駆動が「特許文献２」などに提案されている。これらの提案された技術においても、立下り応答時間は大きく影響する。
【００１７】
図３１はＩＰＳ方式の液晶表示装置における黒書き込み駆動する場合の信号波形例の説明図である。図３１では、１フレーム（１ｆｒａｍｅ）内で黒レベルに相当する信号を書き込む２倍速駆動の例である。波形（ａ）のＶＧ  は走査配線に供給される信号波形（ＶＧＨはハイレベル、ＶＧＬはローレベル）、波形（ｂ）のＶＤ  は信号配線に供給される信号波形（ＶＤＨはハイレベル、ＶＤＬはローレベル）、波形（ｃ）のＶＳ  は画素電極に印加される信号波形である。なお、波形（ｄ）のＶＣ  は共通電極に印加される信号波形、ＧＮＤはグランドレベルを示す。
【００１８】
このとき、図３１（ｅ）に示すように、立下り応答が遅い場合には輝度立下り時において十分な黒レベルまで低下しないために理想的な間欠表示とはならない。従って、現行のように液晶の応答速度が遅い場合には、黒書き込み駆動により、「動画ぼやけ」をある程度改善すること可能であるが、十分に改善することはできない。
【００１９】
さらに、インパルス型表示を実現するための別の手段として、光源を１フレーム内で点灯状態と消灯状態を有するブリンクバックライト方式が提案されている。図３２はブリンクバックライト方式における液晶透過率変化を説明する波形図である。図３２における（ａ）は液晶パネル（図では単にパネルと表記）の上段における液晶透過率、（ｂ）はパネル中段における液晶透過率、（ｃ）はパネル下段における透過率、（ｄ）はバックライト（ＢＬ）の点灯（ｏｎ）・消灯（ｏｆｆ）のタイミングを示す。液晶表示装置では一般に線順次駆動がなされ、液晶パネルの上段（走査開始側）から下段に向かって、１フレーム内で信号の書き込みが行われ、その信号に応じて液晶の透過率が変化する。そして、バックライトはパネル中央部の液晶透過率が所定の透過率に達した時点で点灯される。このとき、信号書き込みのタイミングによりパネル上段では液晶透過率は立下り始めており、パネル下段では立ち上がる途中である。このような場合、本来の画像のデータ（映像信号）とは無関係な輝度（斜線部分）が人間の視覚で積算されることになり、ゴーストと呼ばれる二重像を生じる。このゴーストは、液晶表示装置において動画質の大きな劣化を招いており、この現象を抑制するためにも液晶の応答速度向上技術は必須である。
【００２０】
以上からわかるように、液晶応答速度の向上（特に立下り応答時間の短縮）は、動画対応液晶表示装置において必須の課題である。先に述べたように、液晶の立上り応答時間については、液晶材料物性の改良に加え、駆動や電極構造の工夫により向上することが提案されているが、立下り応答時間については、今のところ材料物性の改良でしか向上できない。しかし、今後の開発にはさらなる立下り応答時間の短縮は必須であり、それを可能とする液晶材料開発以外での新規な技術が必要である。
【００２１】
従って、本発明の目的は、液晶表示装置の輝度応答時間のうち、特に立下り応答時間を短縮することにより、動画質を大きく左右する「動画ぼやけ」を抑制し、高速応答を実現した高品質な動画対応液晶表示装置を提供することにある。
【００２２】
【課題を解決するための手段】
上記目的を達成するために、本発明は、少なくとも一方が透明な一対の基板と、前記一対の基板間に挟持された液晶の層と、前記一対の基板の一方にマトリクス状に配列された複数の画素の各画素毎にそれぞれ形成された電極群を有し、前記電極群の間に電圧を印加して前記液晶の配向方向を制御し、前記一対の基板の外側に設置した光源から入射する光の光量を調整することにより画像表示を行う液晶表示装置において、
画像表示期間では、前記一対の基板面にほぼ平行な電界により液晶を駆動し、画像非表示期間の初期段階では、前記一対の基板面にほぼ垂直な電界により前記液晶の配向方向を制御する液晶駆動手段を設けた。
【００２３】
上記液晶駆動手段を実現する一つの構成例として、前記一対の基板の前記第１の電極と第２の電極を形成した前記一方の基板に対向する他方の基板上に第３の電極を設け、
画像表示期間では、前記第１の電極と前記第２の電極には異なる電位が与えられ該電極間に生じる基板面にほぼ平行な電界により液晶の配向方向を制御し、
画像非表示期間の初期段階では、前記第１の電極と前記第３の電極には異なる電位が与えられ該電極間に生じる基板面にほぼ垂直な電界と、前記第２の電極と前記第３の電極には異なる電位が与えられ該電極間に生じる基板面にほぼ垂直な電界により液晶の配向方向を制御する液晶駆動手段を設けた。
【００２４】
このとき、第１の電極と第２の電極は、櫛歯形状であることが望ましい。あるいは、第１の電極と第２の電極のうち、一方の電極は櫛歯形状であり、もう一方の電極は、画素のほぼ全面を覆うベタ状電極であり、櫛歯形状電極が絶縁膜を介してベタ状電極と重畳している構造でもよい。
【００２５】
さらに、第３の電極は、画素のほぼ全面を覆うベタ状電極であることが望ましい。また、このベタ状電極は、各画素で個別に駆動できることが望ましく、さらには全画素で一括駆動できることが望ましい。
【００２６】
また、上記手段を実現する他の構成例として、前記一対の基板の前記第１の電極と第２の電極を形成した前記一方の基板に対向する他方の基板上に第３の電極が形成され、
前記第１の電極及前記第２の電極と前記一方の基板との間に絶縁膜を介して形成された第４の電極を有し、
画像表示期間では、前記第１の電極と前記第２の電極には異なる電位が与えられ該電極間に生じる基板面にほぼ平行な電界により液晶を駆動し、画像非表示期間の初期段階では、前記第３の電極と前記第４の電極には異なる電位が与えられ該電極間に生じる基板面にほぼ垂直な電界により液晶の配向方向を制御する液晶駆動手段を設けた。
【００２７】
このとき、第１の電極と第２の電極は、櫛歯形状であることが望ましい。あるいは、第３の電極と第４の電極のうち少なくとも一方の電極は、画素のほぼ全面を覆うベタ状電極であってもよい。
【００２８】
さらに、ベタ状電極のうち、少なくとも一方のベタ状電極は、各画素で個別に駆動できることことが望ましく、さらには全画素で一括駆動できることが望ましい。
【００２９】
上記手段を実現するさらに他の構成例として、前記第１の電極と前記第２の電極が形成した前記一方の基板に対向する他方の基板上に第３の電極及び第４の電極が形成され、
画像表示期間は、前記第１の電極と前記第２の電極には異なる電位が与えられ該電極間に生じる基板面にほぼ平行な電界と、前記第３の電極と前記第４の電極には異なる電位が与えられ該電極間に生じる基板面にほぼ平行な電界により液晶の配向方向を制御し、画像非表示期間の初期段階では前記第１の電極と前記第３の電極には異なる電位が与えられ該電極間に生じる基板面にほぼ垂直な電界と、前記第２の電極と前記第４の電極には異なる電位が与えられ該電極間に生じる基板面にほぼ垂直な電界により前記液晶の配向方向を制御する液晶駆動手段を設けた。
【００３０】
このとき、第１から第４の電極は、櫛歯形状であることが望ましい。あるいは、第１の電極と第３の電極は櫛歯形状であり、第２の電極と第４の電極は画素のほぼ全面を覆うベタ状電極であり、第１の電極は第２の電極上に絶縁膜を介して重畳し、さらに第３の電極は第４の電極上に絶縁膜を介して重畳していてもよい。
【００３１】
さらに、ベタ状電極は、各画素で個別に駆動できることが望ましく、さらには、全画素で一括駆動できることが望ましい。
【００３２】
また、上記電極構造において、効率よく本発明の効果を得るためには、以下の構成を用いることが望ましい。すなわち、３つの異なる電極を有する場合には、画像非表示期間の初期段階で第１の電極と第２の電極の電位をほぼ等しく、第３の電極の電位のみを異なる電位とする。
【００３３】
また、４つの異なる電極を有する場合には、画像非表示期間の初期段階で、第１の電極と第２の電極と第４の電極の電位をほぼ等しく、第３の電極の電位のみを異なる電位とする。さらには、画像非表示期間の初期段階で、第１の電極と第２の電極の電位をほぼ等しく、第３の電極と第４の電極との電位をほぼ等しく、そして、第１の電極と第３の電極を異なる電位とする。
【００３４】
上記手段を用いることにより、液晶表示装置の輝度応答時間のうち特に立下り応答時間を短縮し、これにより、動画質を大きく左右する「動画ぼやけ」を抑制した高品質な動画対応液晶表示装置を提供することができる。
【００３５】
なお、前記液晶層の液晶分子はホモジニアス配向であり、その誘電率異方性は正であることが望ましい。また、前記電極のうち少なくとも一つは透明導電膜で形成し、前記櫛歯電極は、くの字型に形成することが望ましい。また、前記対向基板に前記第３の電極のみが形成される構成においては、前記第３の電極と前記液晶の層との間に、配向膜を除く少なくとも１層以上の誘電体層を形成することが望ましい。
【００３６】
さらに、１フレーム内に画像表示期間と画像非表示期間を有し、１フレーム内で間欠表示駆動を有する構成とする。
【００３７】
そして、前記光源は、１フレーム内で点灯状態と消灯状態を有する構成とすることができる。
【００３８】
なお、本発明は、上記の構成および後述する実施の形態で説明する構成に限定されるものではなく、本発明の技術思想を逸脱することなく、種々の変更が可能であることは言うまでもない。
【００３９】
【発明の実施の形態】
以下、本発明の実施の形態につき、添付の図面を参照して詳細に説明する。具体的な実施の形態に先立ち、本発明による液晶表示装置の基本構成を説明する。図１と図２は本発明の基本概念の説明図であり、図１は液晶駆動の各状態において画素内で発生する電界の方向と液晶分子の動きの説明図である。図１左列の図は各状態における液晶パネルの断面から見た液晶分子の動きを示し、右列の図は平面図を示している。また、図２は液晶駆動の各状態に対応する液晶透過率（液晶パネル輝度）の時間変化の説明図である。
【００４０】
なお、図１での（ａ）状態Ｉ、（ｂ）状態ＩＩ及び（ｃ）状態ＩＩＩ  と図２での状態Ｉ、状態ＩＩ及び状態ＩＩＩ  はそれぞれ対応しており、状態Ｉから状態ＩＩへの変化を過程Ｉ、状態ＩＩから状態ＩＩＩ  への変化を過程ＩＩ、さらに状態ＩＩＩ  から状態Ｉへの変化を過程ＩＩＩ  と定義する。またここで、画像表示期間とは、過程Ｉにおける光を透過する期間であり、画像非表示期間とは、黒レベルの信号を書き込まれる過程ＩＩ及び過程ＩＩＩの期間と定義している。
【００４１】
本発明の基本構成では、少なくとも一方が透明な一対の基板１Ａ，１Ｂと、これら一対の基板間に挟持された液晶の層２（液晶分子で表記）と、基板１Ａ上に画素毎に形成された電極、すなわち第１の電極３及び第２の電極４と、基板１Ｂ上に形成された第３の電極５からなる。そして、第１の電極３及び第２の電極４の間に電圧を印加することにより、液晶（液晶分子）２の配向方向を制御し、一対の基板１Ａ，１Ｂの外側に配置された光源（図示せず）からの光量を調整して画像表示を行う。すなわち、画像表示期間（過程Ｉ）では、第１の電極３と第２の電極４の間に電圧が印加され、一対の基板１Ａ，１Ｂの基板面にほぼ平行な電界１８により液晶分子を駆動し、画像非表示期間の初期段階（過程ＩＩ）では、第１の電極３と第２の電極４の間に電圧を印加せず第１の電極３及び第２の電極４と第３の電極５の間に電圧を印加する。そして、一対の基板面にほぼ垂直な電界１９により液晶分子を駆動する。
【００４２】
このような液晶分子の駆動では、従来のＩＰＳ方式の液晶表示装置に比べ、特に立下り応答時間を短縮することが可能となる。これについて以下に詳細に説明する。
【００４３】
図１の状態Ｉでは、各電極に電圧を印加せず、電界は発生していない。従って、液晶分子２は初期配向方向２０（ラビング方向）に一様に配向している。このとき、一対の基板のそれぞれの外面に積層して配置された偏光板１７Ａ、１７Ｂはクロスニコル配置とし、一方の偏光板の透過軸は液晶の初期配向方向に一致している。従って、状態Ｉにおいては図２に示すように液晶透過率（輝度）はほぼゼロであり黒色表示となる。
【００４４】
次に、第１の電極３（例えば、画素電極とする）と第２の電極４（例えば、共通電極とする）の間に電圧を印加すると、これらの電極間に生じる基板面にほぼ平行な電界１８（横電界）により、液晶分子２の配向方向は基板面にほぼ平行な面内で回転し、光を透過する（過程Ｉ）。この過程Ｉは従来のＩＰＳ方式液晶表示装置における液晶分子の駆動と同じである。そして、立上り応答時間は従来のＩＰＳ方式液晶表示装置と同等である。
【００４５】
表示をオフ（画像非表示）する場合には、まず基板１Ｂ（以下、対向基板とも称する）上に形成された第３の電極５に電圧を印加する。これにより、第３の電極５と第１の電極３の間、または第３の電極５と第２の電極４の間で基板面にほぼ垂直な電界１９（縦電界）が発生する。この電界１９を利用して液晶分子を基板面に対して立ち上がるように駆動する。なお、図１のように縦電界により液晶分子を立ち上がらせるためには液晶はポジ型（誘電率異方性が正）である必要がある。このとき、上記したように、偏光板１７Ａ、１７Ｂはクロスニコル配置であるために、液晶分子２を基板面にほぼ垂直に立てることにより黒色表示とすることができる。図２に示すように状態ＩＩＩ  では黒色表示となる。
【００４６】
液晶分子２を基板面にほぼ垂直な電界により起き上がらせることによって、黒を表示した後、各電極（画素電極である第１の電極３、共通電極である第２の電極４、第３の電極５）の電位を同電位に設定すると、画素内では無電界状態となる。これにより、立ちあがっていた液晶分子は、初期配向方向に向かって倒れていく。この液晶分子が倒れていく過程（過程ＩＩＩ  ）では、偏光板１７Ａ、１７Ｂがクロスニコル配置のため黒色表示のままである。
【００４７】
ここで、重要な点は、時間的に横電界と縦電界を使い分け、特に立下り応答については縦電界により液晶を駆動し黒を表示することである。従来の表示モードでは、黒表示すなわち立下り応答時間は粘度や弾性定数など液晶材料の材料物性で決まっていたが、本発明では、材料物性以外に縦電界１９を利用して立下り応答時間を制御できるため応答時間を短縮することが可能である。
【００４８】
またこのとき、縦電界を有効に作用させるためには、第３の電極に電圧を印加するときに第１の電極３と第２の電極４の電位がほぼ等しいことが望ましい。すなわち、これら第１の電極３と第２の電極４の間には電界が生じないことが望ましい。同一基板上に形成された電極間での電位差により生じる電界を小さくすることで、対向電極である第３電極との間に生じる縦電界強度を有効に利用することができる。
【００４９】
このような液晶分子の駆動により、従来のＩＰＳ方式液晶表示装置に比較して、立下り応答時間を短縮することが可能である。そして、この液晶分子の駆動を実現できる電極構造としては、図３に示すように大別して５つの電極構造が考えられる。
【００５０】
図３は本発明の液晶表示装置における液晶分子駆動のための代表的な電極構造と電界形成の説明図である。なお、図３中の図１と同一参照符号は同一機能部分に対応し、参照符号６は第４の電極である。代表的な電極構造の一つは、図３（ａ）に示すように、一方の基板１Ａ側に異なる２種類の櫛歯電極（第１の電極３と第２の電極４）を形成し、もう一方の基板１Ｂ上には画素のほぼ全面を覆う第３の電極５としてベタ状電極を形成する構造である。画像表示期間では、一方の基板１Ａ上に形成された第１の電極３と第２の電極４に異なる電位を与えて基板面にほぼ平行な電界１８により液晶を駆動し、画像非表示期間の初期段階では、第１の電極３と第２の電極４を、例えばゼロ電位と同電位に設定し、同時に第３の電極５に所定の電位を与えることにより第１の電極３及び第２の電極４との間に縦電界１９を発生させる。この縦電界１９により液晶分子を立ち上げて黒を表示する。その後、全電極を例えばゼロ電位に設定し、液晶に電界が印加されない状態とすることで、液晶分子は初期の配向状態の戻る。この過程では、黒色表示のままである。
【００５１】
図３（ｂ）では、基板１Ａにベタ電極とした第２の電極４を形成し、その上に絶縁膜１０を介して櫛歯電極状の第１の電極３を重畳させた構造である。本構造では、画像表示期間で重畳している櫛歯電極状の第１の電極３の端部で発生する電界を主に利用して液晶分子を駆動し、白表示を行う。画像非表示期間の初期段階では、これら電極を同電位（例えばゼロ電位）とし、対向基板である基板１Ｂに配置したベタ状電極である第３の電極５に電位を与え、その間に生じる縦電界１９により液晶分子を立ち上がらせて黒表示を行う。その後、先と同様に全電極を例えばゼロ電位とすることで液晶分子は初期の配向状態に戻る。この過程では黒色表示のままである。この構造では、各基板１Ａ、１Ｂ上に形成されたベタ電極（第２の電極４、第３の電極５）により縦電界を発生させるため（ａ）に示した構造に比べ効率よく縦電界を発生し、利用することができる。
【００５２】
図３（ｃ）では、基板１Ａ上に形成された２つの異なる櫛歯状電極（第１の電極３と第２の電極４）間に生じる電界１８により液晶分子を駆動し、白表示を行う。そして、基板１Ａ側の上記第１の電極３と第２の電極４の下層に絶縁膜１０を介して形成したベタ電極状の第１電極６を設け、第１の電極３と第２の電極４および第４電極の電極群と対向する基板１Ｂに配置されたベタ状電極である第３電極５との間に生じる縦電界１９を利用して液晶分子を立ち上がらせて黒表示を行う。
【００５３】
図３（ｄ）では、基板１Ａに設けた櫛歯状の第１の電極３と第２の電極４および基板１Ｂに設けた櫛歯状の第３の電極５と第４の電極６でそれぞれの１Ａ、１Ｂ上で各基板面に平行な横電界１８を形成して白表示を行う。黒表示を行うときには、基板１Ａ上に形成された第１の電極３と第２の電極４、および基板１Ｂ上に形成された第３の電極５と第４の電極６の間に縦電界１９を形成する。
【００５４】
図３（ｅ）では、基板１Ａ上に形成したべた電極状の第２の電極４と、第２の電極４上に絶縁膜１０を介して櫛歯状に形成した第１の電極３を有し、基板１Ｂ上に形成したべた電極状の第５の電極６と、第５の電極６上に絶縁膜１０を介して櫛歯状に形成した第３の電極５を有している。白表示を行う場合は各基板に有する第１の電極３と第２の電極４の間、および第３の電極５と第４の電極６の間に横電界１８を形成し、黒表示を行う場合は基板１Ａの電極群と基板１Ｂの電極群の間に生じる縦電界１９を利用する。
【００５５】
また、図３（ａ）、図３（ｂ）、図３（ｃ）に示されたベタ状の第３の電極５は、画素ごとに薄膜トランジスタ（ＴＦＴ）などのアクティブ素子で個別に駆動してもよいし、基板全面に一括で形成し直接駆動回路に接続して一括駆動するようにしてもよい。個別に駆動する場合には、各画素を独立したタイミングで黒表示を書き込める。一方、全面一括形成の場合には、全面同一タイミングで黒表示を書き込むことが可能である。
【００５６】
さらに、これらベタ状電極は、液晶パネルの透過率を考えて、酸化インジウムスズ（ＩＴＯ）や酸化インジウム亜鉛（ＩＺＯ）、酸化インジウムゲルマニウム（ＩＧＯ）、さらにはこれらの混合物などの透明導電膜が望ましい。櫛歯電極の場合には、透過率を考えれば、透明導電膜を利用することが望ましいが、これに限ることなく光を透過しないクロムやアルミ、銅などの金属材料を用いてもよい。
【００５７】
上記した各構造において、縦電界１９を効率よく生じさせ、立下り応答時間を短縮するためには、画像非表示期間の初期段階において、第１の電極３と第２の電極４の電位をほぼ等しくし、第３の電極５のみの電位を異なるように設定することが望ましい。これは、第１の電極３と第２の電極４の電位が異なる場合には、縦電界と同時に、画像表示期間と同様の横電界を生じ、液晶分子は初期配向方向と異なる方位で立ち上がるために、完全な黒表示をすることが困難になるからである。これはコントラスト低下など画質の劣化を引き起こす。
【００５８】
また同様に、４つの異なる電極を有し、そのうち３つの電極（第１の電極３、第２の電極４、第４の電極６）が同一の基板上に形成されている構造（図３（ｃ））においては、画像非表示期間の初期段階において、第１の電極３と第２の電極４と第４の電極６の電位がほぼ等しく、第３の電極のみが異なることが望ましい。これは上記と同様、画像非表示期間において、同一の基板１Ａ上に形成された３つの電極間で不要な横電界を発生させないためである。
【００５９】
さらに、４つの異なる電極を有し、各基板上に２つずつの電極が形成されている構造（図３（ｄ）、（ｅ））では、画像表示期間において、液晶層の上下でそれぞれ横電界を発生するので、従来の横電界方式液晶表示装置に比較して横電界密度が大きくなるため、有効に液晶分子が駆動され、立上り応答時間の短時間化が期待できる。また、画像非表示期間の初期段階において、第１の電極３と第２の電極４の電位をほぼ等しく、第３の電極５と第４の電極６の電位をほぼ等しくすることにより、上基板に形成された電極群と下基板に形成された電極群の間で効率よく縦電界を発生することが可能となり、立下り応答時間の短縮化を図ることができる。
【００６０】
また、近年、液晶表示装置における動画表示の劣化は、１フレーム内で輝度を保持するホールド型に表示に起因することが指摘されている。動画対応液晶表示装置では、インパルス型表示が必要とされている。これを実現する手段として、先に述べた黒書き込み駆動やブリンクバックライト方式が提案されている。これらの技術により高品質な動画像を表示するためには、前記したように特に立下り応答時間の短縮化は必須である。
【００６１】
黒書き込み駆動では、従来は液晶の立下り応答が遅いために十分な黒レベルまで輝度が低下しないために、１フレーム内で理想的な間欠表示とならず、「動画ぼやけ」をある程度改善することが可能であるが、十分に改善することができない。黒書き込み駆動による間欠表示では、画像表示期間の輝度と画像非表示期間の輝度のコントラスト比が高くなければならない。これはすなわち、立下り応答を速くする必要があるということである。従って、黒書き込み駆動において、上記電極構造及び液晶駆動を利用することにより、立下り応答の速い黒書き込み駆動（理想的な間欠表示）が可能となり、「動画ぼやけ」を十分に改善することができる。
【００６２】
また、ブリンクバックライト方式では、先に述べたように、液晶の立上がり及び立下り応答時間とバックライトの点灯タイミング差によりゴースト現象を生じる。この現象は、前記図３２に斜線部で示した部分の輝度差を人間の目が認知するために生じる現象であり、立上がり及び立下り応答時間を短縮することにより抑制が可能である。従って、ブリンクバックライト方式において、上記電極構造及び液晶駆動を利用することにより、ゴースト現象を抑制することができる。
【００６３】
本発明では、液晶の応答速度、特に立下り応答時間を短縮できるだけでなく、それにより、黒書き込み駆動やブリンクバックライト方式など動画対応技術を適応した場合に新規に生じる課題も解決することが可能であり、従来に比べ高品質な動画対応液晶表示装置を提供することができる。以下、具体的な実施例を示すが、本発明は以下の実施例に限られるものではないことは前記したとおりである。
【００６４】
先ず、本発明の第１実施例と第２実施例を図４乃至図７を参照して説明する。図４は本発明の第１実施例および第２実施例の画素部の電極構のを説明図である。図４（ａ）の上側の図は一方の基板（薄膜トランジスタを形成した基板、以下ＴＦＴ基板１Ａ）の平面図、下側の図は上側の図のＡ−Ａ’線に沿った断面図であり、図４（ｂ）の上側の図は他方の基板（カラーフィルタを形成した基板、以下ＣＦ基板１Ｂ）の平面図、下側の図は上側の図のＢ−Ｂ’線に沿った断面図である。図４における前記図１、図３と同一参照符号は同一機能部分に対応し、参照符号８Ａ，８Ｂは信号配線、９ＡはＴＦＴ基板１Ａに有する画素電極駆動用の薄膜トランジスタ、９ＢはＣＦ基板１Ｂに設けた第３の電極５の駆動用の薄膜トランジスタ、１１は薄膜トランジスタ９Ｂの出力電極（ソース電極）と第３の電極５を接続するスルーホール、１３はオーバーコート膜、１４はカラーフィルタ、１５はブラックマトリクスを示す。
【００６５】
また、図５は本発明の第１実施例と第２実施例における画素部の断面図であり、図５（ａ）は第１実施例の画素部を、図５（ｂ）は第２実施例の画素部を示す。図６は本発明の第１実施例と第２実施例における液晶表示装置の駆動システムを説明する等価回路図である。図６における図３０と同一の参照符号は同一機能部分に対応し、参照符号２３Ａ，２３Ｂは信号電極駆動回路、参照符号２７は表示画素部を示す。また、図７は各電極及び配線に供給される信号波形の前記図３１と同様の説明図で、（ａ）のＶＧ  は走査配線に供給される信号波形（ＶＧＨはハイレベル、ＶＧＬはローレベル）、波形（ｂ）（ｅ）のＶＤ１，  ＶＤ２は第１の信号配線に供給される信号波形、第２の信号配線に供給される信号波形をそれぞれ示し、ＶＤＨはハイレベル、ＶＤＬはローレベルである。波形（ｃ）のＶＳ  は画素電極に印加される信号波形、波形（ｄ）のＶＣ  は共通電極に印加される信号波形、またＧＮＤはグランドレベルを示す。波形（ｆ）のＶＮ  は第３の電極５に印加される信号波形、波形（ｇ）は本実施例の駆動における液晶透過率の時間変化を示す。
【００６６】
［第１実施例］
本実施例での構造は前記図３（ａ）に対応する構造である。本発明の第１実施例における液晶表示装置は、表示部の対角サイズが公称１５インチであり、一対の基板は共に透明なガラス基板で、その厚みは０．  ７ｍｍである。まず、図４（ａ）に示すように、基板１Ａ上に第１の走査配線７Ａ及び櫛歯状の共通電極４を形成する。次に、絶縁膜１０を窒化シリコンＳｉＮｘを用いて形成し、その上に第１の信号配線８Ａ、第１の電極３としての画素電極を櫛歯状に形成する。なお、マトリクス状に形成された走査配線７Ａと信号配線８Ａの交点付近にアモルファスシリコンを用いて作製される第１の薄膜トランジスタ９Ａが配置され、画素電極である第１の電極３と第１の信号配線８Ａは、この薄膜トランジスタ９Ａを介して電気的に接続している。そして、これらマトリクス状に形成される各配線に囲まれた領域に対応して画素が形成されている。
【００６７】
電極材料としてはクロムモリブデンＣｒＭｏを用いている。信号配線や走査配線の材料には電気抵抗の低いものであれば特に問題はなく、アルミニウムや銅などでもよい。
【００６８】
一方、基板１Ａに対向する基板１Ｂにはストライプ状の３色（赤、緑、青：Ｒ，Ｇ，Ｂ）のカラーフィルタ１４とブラックマトリクス１５を備えている。カラーフィルタ１４とブラックマトリクス１５上には表面を平坦化するためのオーバーコート膜１３を形成する。なお、オーバーコート膜１３としてはエポキシ樹脂などを用いる。
【００６９】
このようなカラーフィルタ基板上に第２の走査配線７Ｂ、絶縁膜１０、第２の信号配線８Ｂを設け、その最上層には画素のほぼ全面を覆うベタ状の第３の電極５が形成されている。ベタ状の第３電極５はＩＴＯで形成され、スルーホール１１及び第２の薄膜トランジスタ９Ｂを介して第２の信号配線８Ｂに電気的に接続している。また、基板１Ａ上に形成する第１の走査配線７Ａと基板１Ｂ上に形成する第２の走査配線７Ｂを基板外部で接続し、これらを一つの走査電極駆動回路（走査ドライバ）２２で駆動する。
【００７０】
なお、前記したように、第１の薄膜トランジスタ９Ａが形成される基板をＴＦＴ基板、カラーフィルタが形成される基板をカラーフィルタ基板（ＣＦ基板）と呼ぶことにする。このようにして作製されるＴＦＴ基板及びＣＦ基板表面に、液晶分子を配向させるためのポリイミドの配向膜１２を、膜厚１００ｎｍで形成する。一般に、ポリイミド膜は、その前駆体であるポリアミック酸を基板表面に印刷機などで塗布し、これらを高温で焼成することにより形成する。ここで形成されたポリイミのド配向膜１２の表面をラビング処理することにより配向処理を施す。ラビング方向は第１の電極（画素電極）３の長手方向から１５°傾いた方向とする。
【００７１】
本実施例においては、画素内に配置された第１の電極と第２の電極（画素電極と共通電極）は図３４の（ａ）に示したように櫛歯状に形成されているが、図３４の（ｂ）に示したように電極延長方向に対して角度θを有するくの字型に形成されていてもよい。第１の電極３と第２の電極４をくの字型に形成することにより、電圧が印加された場合に液晶分子の回転方向が異なる領域を生じる。これにより視角による色付きを抑制することができる。ただし、くの字型電極の場合には液晶分子の初期配向方向として、例えばポジ型液晶（誘電率異方性が正）の場合には液晶分子の長軸が画素の長手方向と一致するように配向処理する必要がある。
【００７２】
次に、これら一対の基板のうち、一方の基板の表示領域周縁部に熱硬化型のシール材を塗布し、対向するもう一方の基板を重ね合わせる。シール材は、後に液晶素子内に液晶を注入するための封入口が形成されるように塗布される。これらの基板を加熱しながら加圧し、両基板を接着固定する。なお、基板間は４マイクロメートルの間隔を保持できるようになっている。その後、封入口から真空封入法により液晶表示素子内に液晶を注入し、その後、封入口を紫外線硬化樹脂などで封止する。なお、ここでは液晶材料として誘電率異方性が正の材料を使用する。組合せた基板の両面に偏光板１７をノーマリークローズ特性（低電圧時に黒表示、高電圧時に白表示）となるようにクロスニコル配置で貼りつける。
【００７３】
図６に示すように、各配線は基板の端部まで延在配置され、第１の信号配線８Ａ、第２の信号配線８Ｂ、走査配線７（第１の走査配線７Ａ、第２の走査配線７Ｂ）、共通電極４は、それぞれに対応して第１の信号ドライバ２３Ａ、第２の信号ドライバ（信号電極駆動回路）２３Ｂ、走査ドライバ２２、共通電極ドライバ（共通電極駆動回路）２４に接続される。また、各ドライバは表示制御装置２１により制御されている。なお、破線で囲まれた領域（表示画素部）２７には一画素に対応する本実施例の電極構造に相当する等価回路を示している。
【００７４】
その後、図３３で示したように、シールドケース３２、拡散板３３、導光板３４、反射板３５、バックライト３６、下側ケース３７、インバータ回路３８を組合せることにより液晶表示装置３９を組み立てる。このようにして得られる液晶表示装置において、図７（ａ）から（ｅ）に示した信号波形を各配線及び電極に印加することによって、本発明の効果を得ることができる。以下、各電極及び配線へ印加する信号波形について説明する。
【００７５】
本実施例では１フレーム内で黒レベルに相当する信号を挿入する２倍速黒書き込み駆動である。図７において、（ａ）走査配線に供給される信号波形ＶＧ  、（ｂ）第１の信号配線に供給される信号波形ＶＤ１、（ｃ）画素電極に印加される信号波形ＶＳ  、（ｄ）共通電極に印加される信号波形ＶＣ  、（ｅ）第２の信号配線に供給される信号波形ＶＤ２、（ｆ）第３の電極に印加される信号波形ＶＮ  が対応する信号配線あるいは電極に供給される。なお、図７（ｇ）に本駆動における液晶透過率の時間変化を示す。
【００７６】
図７において、まず、走査配線からの走査信号により時間ｔ＝ｔ０  において第１及び第２の薄膜トランジスタがオン状態となり、画素電極（第１の電極）３には第１の信号配線からの電圧が印加され、第３の電極５には第２の信号配線からの電圧が印加される。次に、ｔ＝ｔ１  において再度走査信号が書き込まれ、画素電極３には第１の信号配線からの電圧が印加され、第３の電極５には第２の信号配線からの電圧が印加される。
【００７７】
画像表示期間（ｔ０  ＜ｔ＜ｔ１  ）では、第１の電極（画素電極）３と第２の電極（共通電極）４との電位差（ＶＳＨ−ＶＣ  ）により生じる横電界を利用して液晶を駆動し画像を表示する。ｔ＝ｔ１  において、第１の電極（画素電極）３と第２の電極（共通電極）４の電位をほぼ同一に設定し、第３の電極５に電圧ＶＮＨを印加する。このとき、横方向の電界はほぼゼロとなり、第２の電極（共通電極）４、第１の電極（画素電極）３と第３の電極５との間に生じる縦電界により液晶分子を基板面にほぼ垂直に立ち上げることによって黒色を表示する。
【００７８】
次に、ｔ＝ｔ２  において、第１の電極（画素電極）３、第２の電極（共通電極）４、第３の電極５を同電位に設定することにより、基板面に対してほぼ垂直に立ちあがっていた液晶分子は初期配向状態に向かって基板面にほぼ平行な面に倒れる。この過程では、液晶分子の長軸方向の基板面への投射軸が一方の偏光板の透過軸と平行であり、もう一方の偏光板の透過軸と垂直であるために表示は黒色のままである。そして、ｔ＝ｔ３  においては、初期配向の状態に戻っており、ｔ＝ｔ３  のタイミングで次のフレームが開始される。
【００７９】
ここで、上記の構成とした液晶表示装置を用いて、応答速度に関して評価した。応答速度は、ホトダイオードを組み合わせたオシロスコープを用いて評価した。まず、画面上に全面黒色パターンを表示し、その後、最大輝度に相当する白色パターンを表示する。このときの輝度変化をオシロスコープにて読み取り、変化前の輝度Ｂ０  から変化後の輝度Ｂｆｉｎ  への変化量を１００％とし、そのうちの９０％の変化が終了した時点をもって応答時間とする。本実施例の液晶表示装置において、同一の液晶材料を用いた場合に従来のＩＰＳ方式液晶表示装置に比べ応答時間（立下り応答時間）が短縮されたことを確認した。
【００８０】
〔第２実施例〕
本発明の第２実施例の液晶表示装置の断面図を図５（ｂ）に示す。本実施例と図５（ａ）で説明した第１の実施例とは、ＣＦ基板１Ｂ側に形成されたベタ状電極である第３の電極５と配向膜１２の間に誘電率層１６を配置する点で異なる。第１の実施例のように、第３の電極５が直接液晶層に接している場合には、第３の電極５の電位が通常の駆動電圧に大きく影響し、駆動電圧の上昇が懸念される。そこで、本実施例では、誘電体層１６を配置することにより、第３の電極５の電位が直接的に液晶層に影響することを防ぐことができ、駆動電圧の上昇が緩和される。また、同時に第１実施例と同様に、立ち下がり応答時間を短縮でき、動画表示性能の向上を図ることが可能である。
【００８１】
〔第３実施例〕
本発明の第３実施例の構成を図８、図９、図１０、図１１を用いて説明する。図８は本発明の第３実施例の構成を説明する図４と同様の画素部の電極構造を説明する図である。図８（ａ）の上側の図はＴＦＴ基板１Ａの平面図、下側の図は上側の図のＡ−Ａ’線に沿った断面図であり、図８（ｂ）の上側の図はＣＦ基板１Ｂの平面図、下側の図は上側の図のＢ−Ｂ’線に沿った断面図である。図９は本発明の第３実施例に係る液晶表示装置の画素部の断面図であり、図１０は液晶表示装置の駆動システムを説明するための図である。また図１１は各電極及び配線に供給される信号波形の説明図である。なお、本実施例での構造は図３（ａ）に対応する構造である。
【００８２】
本実施例は、第１実施例に比較して、ＣＦ基板１Ｂ側の電極構造が異なる。第１実施例ではＣＦ基板１Ｂ上に形成された第３の電極５が画素ごとに形成され、この第３の電極５をそれぞれの画素に形成された薄膜トランジスタ９Ｂにより個別に駆動している。これに対して、本実施例では、第３の電極５は全画素に共通に形成されている。この第３の電極５は画素部の領域の外に配置された第３電極駆動回路に直接接続され制御される。この構造では、第１実施例のように第３電極５を薄膜トランジスタで駆動するものとは異なり、全画素に対して同時に黒表示を書き込むことが可能である。
【００８３】
本発明の第３実施例の液晶表示装置を用いて、応答速度に関して評価した。応答速度はホトダイオードを組み合わせたオシロスコープを用いて評価した。まず、画面上には全面黒色パターンを表示し、その後、最大輝度に相当する白色パターンを表示する。このときの輝度変化をオシロスコープにて読み取り、変化前の輝度Ｂ０  から変化後の輝度Ｂｆｉｎ  への変化量を１００％とし、そのうちの９０％の変化が終了した時点をもって応答時間とする。本実施例の液晶表示装置において、同一の液晶材料を用いた場合に従来のＩＰＳ方式液晶表示装置に比べ応答時間（立下り応答時間）が短縮されたことを確認した。
【００８４】
〔第４実施例〕
本発明の第４実施例の構成を図１２、図１３、図１４、図１５を用いて説明する。図１２は本発明の第４実施例の液晶表示装置に係る図８と同様の画素部の電極構造を説明する図である。図１２（ａ）の上側の図はＴＦＴ基板１Ａの平面図、下側の図は上側の図のＡ−Ａ’線に沿った断面図であり、図１２（ｂ）の上側の図はＣＦ基板１Ｂの平面図、下側の図は上側の図のＢ−Ｂ’線に沿った断面図である。図１３は本発明の第４実施例に係る液晶表示装置の画素部の断面図であり、図１４は液晶表示装置の駆動システムを説明するための図である。また図１５は各電極及び配線に供給される信号波形の説明図である。なお、本実施例での構造は図３（ａ）に対応する構造である。
【００８５】
本実施例は、第３実施例に比較してＴＦＴ基板側に形成する第２の電極（共通電極）４を画素ごとに形成される薄膜トランジスタ９Ｂで個別に駆動するように構成したものである。このとき、図１５（ｃ）、（ｄ）に示すように黒レベルを書き込む期間の初期（ｔ１  ＜ｔ＜ｔ２  ）において、第１の電極（画素電極）３と第２の電極（共通電極）４の電位差をほぼゼロにするために、ＶＳＨとＶＣＨをほぼ同等の電位とすることが必要である。
【００８６】
このように第２の電極（共通電極）４を画素ごとに駆動することにより、ＣＦ基板１Ｂ側に形成する第３電極５を複雑に駆動制御する必要がなく、液晶表示装置の構造を簡略化できる。本実施例の液晶表示装置において、同一の液晶材料を用いた場合に従来のＩＰＳ方式液晶表示装置に比べ応答時間（立下り応答時間）が短縮されたことを確認した。
【００８７】
〔第５実施例〕
本実施例の構成を図１６、図１７を用いて説明する。図１６は本発明の第５実施例に係る図１２と同様の画素部の電極構造を説明する図である。図１６（ａ）の上側の図はＴＦＴ基板１Ａの平面図、下側の図は上側の図のＡ−Ａ’線に沿った断面図であり、図１６（ｂ）の上側の図はＣＦ基板１Ｂの平面図、下側の図は上側の図のＢ−Ｂ’線に沿った断面図である。図１７は本発明の第５実施例に係る液晶表示装置の画素部の断面図である。また、本実施例における液晶表示装置の駆動システム及び各配線、電極へ供給される信号波形の概略は第３実施例と同様であるので、信号波形は図１０及び図１１を用いて説明する。なお、本実施例での構造は図３（ｂ）に対応する構造である。
【００８８】
本実施例における液晶表示装置は、表示部の対角サイズが公称１５インチであり、一対の基板は共に透明なガラス基板で、その厚みは０．  ７ｍｍである。まず、図１６（ａ）に示すように、基板１Ａ上に第１の走査配線７及び画素のほぼ全面を覆うようにベタ状の第２の電極（共通電極）４を形成する。次いで、絶縁膜１０が窒化シリコンＳｉＮｘを用いて形成され、その上に信号配線８Ａ、櫛歯状の第１の電極（画素電極）３を形成する。なお、マトリクス状に形成された走査配線７と信号配線８Ａの交点付近にアモルファスシリコン等を用いて作製される薄膜トランジスタ９が配置される。第１の電極（画素電極）３と信号配線８Ａは、この薄膜トランジスタ９を介して電気的に接続している。そして、これらマトリクス状に形成される各配線に囲まれた領域に対応して画素が形成されている。
【００８９】
電極材料としては、走査配線や信号配線などの配線にはクロムモリブデンＣｒＭｏを用い、第１の電極（画素電極）や第２の電極（共通電極）には開口率を確保するためにＩＴＯ透明電極を用いている。
【００９０】
一方、基板１Ａに対向する基板１Ｂにはストライプ状の３色（Ｒ，Ｇ，Ｂ）のカラーフィルタ１４とブラックマトリクス１５を備えている。カラーフィルタ１４とブラックマトリクス１５上には、表面を平坦化するためのオーバーコート樹膜１３を形成する。なお、オーバーコート膜としてはエポキシ樹脂などを用いる。
【００９１】
このようなＣＦ基板１Ｂ上にベタ状の第３の電極５を形成する。第３の電極５はＩＴＯで形成する。このようにして作製されるＴＦＴ基板（基板１Ａ）及びＣＦ基板（基板１Ｂ）の内面に、液晶分子を配向させるためのポリイミドの配向膜１２を膜厚１００ｎｍで形成する。一般にポリイミド膜は、その前駆体であるポリアミック酸を基板表面に印刷機などで塗布し、これらを高温で焼成することにより形成する。ここで形成されたポリイミド配向膜１２の表面をラビング処理することにより配向処理を施す。ラビング方向は第１の電極３である画素電極の長手方向から１５°傾いた方向とする。
【００９２】
本実施例においては、第１の電極である画素電極３は図３３（ａ）のように櫛歯状に形成されているが、図３３（ｂ）に示すように電極延長方向に対して角度θを有するくの字型に形成されていてもよい。くの字型に形成されることにより、電圧が印加された場合に液晶分子の回転方向が異なる領域を生じ、これにより前記した色付きを抑制することができる。ただし、くの字型電極の場合には液晶分子の初期配向方向として、例えばポジ型液晶の場合には液晶分子の長軸が画素の長手方向と一致するように配向処理する必要がある。
【００９３】
次に、これら一対の基板１Ａ，１Ｂのうち、一方の基板の表示領域周縁部に熱硬化型のシール材を塗布し、もう一方の対向基板を重ね合わせる。シール材は、後に液晶素子内に液晶を注入するための封入口が形成されるように塗布される。これら基板を加熱しながら加圧し、両基板を接着固定する。なお、基板間は４マイクロメートルの間隔を保持できるようになっている。その後、封入口から真空封入法により液晶を液晶表示素子内に注入し、その後、封入口を紫外線硬化樹脂などで封止する。なお、ここでは液晶材料として誘電率異方性が正の材料を使用する。
【００９４】
組合せた基板の両面に偏光板１７（１７Ａ、１７Ｂ）をノーマリークローズ特性（低電圧で黒表示、高電圧で白表示）となるようにクロスニコル配置で貼りつける。その後、図３３に示したシールドケース３２、拡散板３３、導光板３４、反射板３５、バックライト３６、下側ケース３７、インバータ回路３８を組合せることにより液晶表示装置３９を組み立てる。このようにして得られる液晶表示装置において、各配線及び電極に印加する信号は図１１に示すとおりであり、第３実施例とほぼ同じである。
【００９５】
すなわち、画像表示期間（ｔ０  ＜ｔ＜ｔ１  ）では、第１の電極（画素電極）と第２の電極（共通電極）との電位差により生じる電界を利用して液晶を駆動し画像を表示する。櫛歯状の画素電極の端部では特に大きな電界を発生し、従来のＩＰＳに比べ立上り応答速度が速いのが特徴である。具体的には、ｔ＝ｔ１  において、画素電極と共通電極電位をほぼ同一に設定し、第３の電極５に電圧を印加する。このとき、横方向の電界はほぼゼロとなり、第２の電極（共通電極）、第１の電極（画素電極）と第３の電極との間に生じる縦電界により液晶分子を基板面にほぼ垂直に立ち上げることによって黒色を表示する。
【００９６】
本実施例では、第３実施例に比較して共通電極を画素のほぼ全面を覆うように形成しているために、画像非表示期間の初期段階で発生する縦電界を画素全域でほぼ均一に発生させることができる。このために第３実施例に比較してさらに立下り時間を短縮できる。
【００９７】
次に、ｔ＝ｔ２  において、第１の電極（画素電極）、第２の電極（共通電極）、第３の電極を同電位に設定することにより、基板面に対してほぼ垂直に立ちあがっていた液晶分子は初期配向状態に向かって基板面にほぼ平行な面に倒れる。この過程では、液晶分子の長軸方向の基板面への投射軸が一方の偏光板の透過軸と平行であり、もう一方の偏光板の透過軸と垂直であるために表示は黒色のままである。そして、ｔ＝ｔ３  においては、初期配向の状態に戻っており、ｔ＝ｔ３  のタイミングで次のフレームが開始される。
【００９８】
こうして得られた液晶表示装置を用いて、応答速度に関して評価した。応答速度は、ホトダイオードを組み合わせたオシロスコープを用いて評価した。まず、画面上には全面黒色パターンを表示し、その後、最大輝度に相当する白色パターンを表示する。このときの輝度変化をオシロスコープにて読み取り、変化前の輝度Ｂ０  から変化後の輝度Ｂｆｉｎ  への変化量を１００％とし、そのうちの９０％の変化が終了した時点をもって応答時間とする。本実施例の液晶表示装置において、同一の液晶材料を用いた場合に従来のＩＰＳ方式液晶表示装置に比べ応答時間（立下り応答時間）が短縮されたことを確認した。
【００９９】
〔第６実施例〕
本発明の第６実施例の構成を図１８、図１９、図２０を用いて説明する。図１８は本発明の第６実施例に係る液晶表示装置の図１２と同様の画素部の電極構のを説明図である。図１８（ａ）の上側の図はＴＦＴ基板１Ａの平面図、下側の図は上側の図のＡ−Ａ’線に沿った断面図であり、図１８（ｂ）の上側の図はＣＦ基板１Ｂの平面図、下側の図は上側の図のＢ−Ｂ’線に沿った断面図である。図１９は本発明の第６実施例に係る液晶表示装置の画素部の断面図、図２０は各電極及び配線に供給される信号波形の説明図である。なお、本実施例での構造は図３（ｃ）に対応する構造である。
本実施例では、図１８から分かるように、４つの異なる電極を利用する。ただし、後述するように駆動によっては第２の電極である共通電極の下層に重畳して配置する第４の電極６は、共通電極４とすべての時間において同電位とすることができる。この場合は異なる３つの電極を設けたものとなる。
【０１００】
本実施例における液晶表示装置は、表示部の対角サイズが公称１５インチであり、一対の基板は共に透明なガラス基板で、その厚みは０．  ７ｍｍである。まず、図１８に示すように、ＴＦＴ基板１Ａ上に第４の電極６、第２の電極（共通電極）４、信号配線８Ａ、第１の電極（画素電極）３を形成する。各電極間は絶縁膜１０により絶縁性を保持している。電極材料は、電気抵抗の低いものであれば特に問題はないが、第４の電極６は画素領域をほぼ全面覆うように形成されているために、透過型液晶表示装置の場合には開口率を確保するためにＩＴＯなどの透明導電膜が望ましい。
【０１０１】
一方、ＣＦ基板には画素領域の全面を覆うように透明導電膜を形成する。そして、これら両基板に第１の実施例に示す所定の処理をした後、張り合わせて液晶表示装置を組み立てる。このようにして得られた液晶表示装置において、各配線及び電極には図２０に示す信号波形を供給する。図２０において、画像表示期間（ｔ０  ＜ｔ＜ｔ１  ）では、第２の電極（共通電極）と第１の電極（画素電極）間との電位差により液晶分子を駆動する。そして、画像非表示期間の初期段階（ｔ１  ＜ｔ＜ｔ２  ）では、第１の電極（画素電極）と第２の電極（共通電極）の電位をほぼ同じに設定し、両基板に形成されたベタ電極（第３の電極５と第４の電極６）間に生じる縦電界により液晶を基板面にほぼ垂直な方向に立ち上げることにより黒を表示する。本実施例の構造では、画素領域をほぼ全面に覆う電極により縦電界を生じさせているために、第１の実施例に比較して、縦電界の発生効率がよく、立下り時間のさらなる短縮化が可能となる。
【０１０２】
こうして得られた液晶表示装置を用いて、応答速度に関して評価した。応答速度は、ホトダイオードを組み合わせたオシロスコープを用いて評価した。まず、画面上には全面黒色パターンを表示し、その後、最大輝度に相当する白色パターンを表示する。このときの輝度変化をオシロスコープにて読み取り、変化前の輝度Ｂ０  から変化後の輝度Ｂｆｉｎ  への変化量を１００％とし、そのうちの９０％の変化が終了した時点をもって応答時間とする。本実施例の液晶表示装置において、同一の液晶材料を用いた場合に従来のＩＰＳ方式液晶表示装置に比べ応答時間（立下り応答時間）が短縮されたことを確認した。
【０１０３】
〔第７実施例〕
本発明の第７実施例の構成を図２１、図２２、図２３、図２４を用いて説明する。図２１は本発明の第７実施例に係る液晶表示装置の画素部の電極構造の説明図であり、図２１（ａ）の上側の図はＴＦＴ基板１Ａの平面図、下側の図は上側の図のＡ−Ａ’線に沿った断面図であり、図２１（ｂ）の上側の図はＣＦ基板１Ｂの平面図、下側の図は上側の図のＢ−Ｂ’線に沿った断面図である。図２２は本発明の第７実施例に係る液晶表示装置の画素部の断面図、図２３は液晶表示装置の駆動システムを説明するための図である。また図２４は各電極及び配線に供給される信号波形の説明図である。なお、本実施例での構造は図３（ｄ）に対応する構造である。各電極及び配線に供給される信号波形の説明図である。
【０１０４】
図２１及び図２２から分かるように、ＴＦＴ基板１Ａ側は従来のＩＰＳ方式液晶表示装置と同じ構造である。一方、ＣＦ基板１Ｂ側も、オーバーコート膜１３を形成した後に、ＴＦＴ基板１Ａ側と同様の電極構造とする。画像表示期間では図２４に示すように第１の電極３である画素電極と第２の電極４である共通電極間に生じる横電界により液晶を駆動する。同時に、第３の電極５と第４の電極間６に生じる横電界によっても液晶を駆動でき、従来のＩＰＳに比べて横電界発生の効率が高いために低電圧で立上り応答速度を向上することが可能である。
【０１０５】
一方、画像非表示期間の初期段階では、第２の電極（共通電極）と第１の電極（画素電極）の電位をほぼ同電位となるように設定し、同時に、第３の電極と第４の電極の電位がほぼ同じになるように設定する。さらに、これらＴＦＴ基板１Ａ側に形成された電極（画素電極及び共通電極）の電位をＣＦ基板１Ｂ側に形成された電極（第３の電極及び第４の電極）の電位より高く設定する。これにより縦電界を生じることができる。
【０１０６】
こうして得られた液晶表示装置を用いて、応答速度に関して評価した。応答速度は、ホトダイオードを組み合わせたオシロスコープを用いて評価した。まず、画面上には全面黒色パターンを表示し、その後、最大輝度に相当する白色パターンを表示する。このときの輝度変化をオシロスコープにて読み取り、変化前の輝度Ｂ０  から変化後の輝度Ｂｆｉｎ  への変化量を１００％とし、そのうちの９０％の変化が終了した時点をもって応答時間とする。本実施例の液晶表示装置において、同一の液晶材料を用いた場合に従来のＩＰＳ方式液晶表示装置に比べ応答時間（立下り応答時間）が短縮されたことを確認した。
【０１０７】
〔第８実施例〕
本発明の第８実施例の構成を図２５、図２６を用いて説明する。図２５は画素部の電極構造を説明するための図であり、図２５（ａ）の上側の図はＴＦＴ基板１Ａの平面図、下側の図は上側の図のＡ−Ａ’線に沿った断面図であり、図２５（ｂ）の上側の図はＣＦ基板１Ｂの平面図、下側の図は上側の図のＢ−Ｂ’線に沿った断面図である。図２６は本発明の第８実施例に係る液晶表示装置の画素部の断面図である。なお、本実施例での構造は図３（ｅ）に対応する構造である。
【０１０８】
図２５及び図２６から分かるように、ＴＦＴ基板１Ａ側の電極構造は第５実施例と同様であり、この構造をＣＦ基板１Ｂ側にも形成する。このような電極構造において、図２４に示す信号波形を供給すると、画像表示期間では第１の電極（画素電極）３と第２の電極（共通電極）４間に生じる電界及び第３の電極５と第４の電極６間に生じる電界により液晶を駆動して画像を表示する。一方、画像非表示期間の初期段階では同一基板に形成された電極間の電位を同電位に設定し、ＴＦＴ基板１Ａ上の電極とＣＦ基板１Ｂ上の電極との電位差により縦電界を生じさせる。
【０１０９】
こうして得られた液晶表示装置を用いて、応答速度に関して評価した。応答速度は、ホトダイオードを組み合わせたオシロスコープを用いて評価した。まず、画面上には全面黒色パターンを表示し、その後、最大輝度に相当する白色パターンを表示する。このときの輝度変化をオシロスコープにて読み取り、変化前の輝度Ｂ０  から変化後の輝度Ｂｆｉｎ  への変化量を１００％とし、そのうちの９０％の変化が終了した時点をもって応答時間とする。本実施例の液晶表示装置において、同一の液晶材料を用いた場合に従来のＩＰＳ方式液晶表示装置に比べ応答時間（立下り応答時間）が短縮されたことを確認した。
【０１１０】
〔第９実施例〕
本発明の第９実施例では、第５実施例と同様に、図１６及び図１７に示す電極構造を有する液晶表示装置を利用する。また第５実施例では１フレーム内で２回の書き込みを行う２倍速駆動であるが、図２７は第９実施例における液晶パネルの透過率とバックライトの点灯タイミングの説明図である。本実施例では、１フレーム内に１回の書き込みしか行わない駆動とする。ただし、図２７に示すように液晶表示装置の光源であるバックライトを１フレーム内で点灯状態と消灯状態を有する駆動とする。
【０１１１】
液晶パネルは通常線順次駆動であり、上段から下段に向かってデータを書き込んで行く。その過程で透過率変化を各段において示したのが図２７（ａ）から（ｃ）である。また、図２７（ｄ）にはバックライトの点灯タイミングを示す。このようなブリンクバックライト方式では、パネル中央部での輝度を保つために、パネル中段の液晶が十分に応答した時点でバックライトを点灯する。
【０１１２】
本実施例で得られる液晶表示装置を用いて、先述したゴーストについて評価をしたところ、従来のＩＰＳ液晶表示装置に比較して、ゴースト現象を抑制することができた。これは、図３２に示すように従来のＩＰＳ液晶表示装置では立下り応答時間が長いために、斜線領域の輝度差を積分して感知するためにゴーストと呼ばれる画像輪郭部で２重像として捕らえられる。しかし本実施例のように立下り応答時間を短縮化することにより、斜線部分の面積を低減することができ、結果として、ゴースト現象を低減することが可能である。
【０１１３】
【発明の効果】
以上説明したように、本発明によれば、横電界方式の液晶表示装置において、一方の基板に形成した共通電極及び画素電極とは異なる新規な第３の電極、あるいは第３の電極に加えて第４の電極を一方の基板または他方の基板もしくは一方の基板と他方の基板の何れかに形成し、この第３の電極、あるいは第３の電極と第４の電極の電位を１フレーム周期内で変化させ、画像表示期間では共通電極と画素電極間で生じる横電界を利用し、画像非表示期間の初期段階では共通電極、画素電極と、第３の電極間、あるいは第３の電極と第４の電極間で生じる縦電界を利用することにより、特に立下り応答時間が改善され、動画表示を可能とした高速応答化と「動画ぼやけ」を抑制した高品質な動画対応液晶表示装置を提供することができる。
【図面の簡単な説明】
【図１】本発明の基本概念を説明するための液晶駆動の各状態において画素内で発生する電界の方向と液晶分子の動きの説明図である。
【図２】本発明の基本概念を説明するための液晶駆動の各状態に対応する液晶透過率（液晶パネル輝度）の時間変化の説明図である。
【図３】本発明の液晶表示装置における液晶分子駆動のための代表的な電極構造と電界形成の説明図である。
【図４】本発明の第１実施例および第２実施例の画素部の電極構造の説明図である。
【図５】本発明の第１実施例と第２実施例における画素部の断面図である。
【図６】本発明の第１実施例と第２実施例における液晶表示装置の駆動システムを説明する等価回路図である。
【図７】本発明の第１実施例と第２実施例における各電極及び配線に供給される信号波形の前記図３１と同様の説明図である。
【図８】本発明の第３実施例の構成を説明する図４と同様の画素部の電極構造の説明図である。
【図９】本発明の第３実施例に係る液晶表示装置の画素部の断面図である。
【図１０】本発明の第３実施例に係る液晶表示装置の駆動システムの説明図である。
【図１１】本発明の第３実施例に係る液晶表示装置の各電極及び配線に供給される信号波形の説明図である。
【図１２】本発明の第４実施例の液晶表示装置に係る図８と同様の画素部の電極構造の説明図である。
【図１３】本発明の第４実施例に係る液晶表示装置の画素部の断面図である。
【図１４】本発明の第４実施例に係る液晶表示装置の駆動システムの説明図である。
【図１５】本発明の第４実施例に係る液晶表示装置の各電極及び配線に供給される信号波形の説明図である。
【図１６】本発明の第５実施例に係る図１２と同様の画素部の電極構造の説明図である。
【図１７】本発明の第５実施例に係る液晶表示装置の画素部の断面図である。
【図１８】本発明の第６実施例に係る液晶表示装置の図１２と同様の画素部の電極構造の説明図である。
【図１９】本発明の第６実施例に係る液晶表示装置の画素部の断面図である。
【図２０】本発明の第６実施例に係る液晶表示装置の各電極及び配線に供給される信号波形の説明図である。
【図２１】本発明の第７実施例に係る液晶表示装置の画素部の電極構造の説明図である。
【図２２】本発明の第７実施例に係る液晶表示装置の画素部の断面図である。
【図２３】本発明の第７実施例に係る液晶表示装置の駆動システムの説明図である。
【図２４】本発明の第７実施例に係る液晶表示装置の各電極及び配線に供給される信号波形の説明図である。
【図２５】本発明の第８実施例に係る液晶表示装置の画素部の電極構造を説明するための図である。
【図２６】本発明の第８実施例に係る液晶表示装置の画素部の断面図である。
【図２７】本発明の第９実施例に係る液晶表示装置における液晶パネルの透過率とバックライトの点灯タイミングの説明図である。
【図２８】ＩＰＳ方式の液晶表示装置の画素部を構成する電極構成例の説明図である。
【図２９】図２８に示した一方の基板を対向する他方の基板と共に示す断面図である。
【図３０】ＩＰＳ方式の液晶表示装置の駆動システムを説明する等価回路図である。
【図３１】ＩＰＳ方式の液晶表示装置における黒書き込み駆動する場合の信号波形例の説明図である。
【図３２】ブリンクバックライト方式における液晶透過率変化を説明する波形図である。
【図３３】液晶表示装置の分解斜視図である。
【図３４】櫛歯状電極の形状例の説明図である。
【符号の説明】
１（１Ａ、１Ｂ）…基板、２…液晶分子又は液晶の層、３…第１の電極（画素電極）、４…第２の電極（共通電極）、５…第３の電極、６…第４の電極、７（７Ａ、７Ｂ）…走査配線、８（８Ａ、８Ｂ）…信号配線、９（９Ａ、９Ｂ）…薄膜トランジスタ、１０…絶縁膜、１１…スルーホール、１２…配向膜、１３…オーバーコート膜、１４…カラーフィルタ、１５…ブラックマトリクス、１６…高誘電体層、１７（１７Ａ、１７Ｂ）…偏光板、１８…横電界、１９…縦電界、２０…液晶初期配向方向（ラビング方向）、２１…表示制御装置、２２…走査電極駆動回路、２３（２３Ａ、２３Ｂ）…信号電極駆動回路、２４…共通電極駆動回路、２５…第３電極駆動回路、２６…第４電極駆動回路、２７…表示画素部、３１…液晶表示素子（液晶表示パネル）、３２…シールドケース、３３…拡散板、３４…導光板、３５…反射板、３６…バックライト、３７…下側ケース、３８…インバータ回路基板、３９…液晶表示装置。
【図１】
2004354407.tif 000005
【図２】
2004354407.tif 000006
【図３】
2004354407.tif 000007
【図４】
2004354407.tif 000008
【図５】
2004354407.tif 000009
【図６】
2004354407.tif 000010
【図７】
2004354407.tif 000011
【図８】
2004354407.tif 000012
【図９】
2004354407.tif 000013
【図１０】
2004354407.tif 000014
【図１１】
2004354407.tif 000015
【図１２】
2004354407.tif 000016
【図１３】
2004354407.tif 000017
【図１４】
2004354407.tif 000018
【図１５】
2004354407.tif 000019
【図１６】
2004354407.tif 000020
【図１７】
2004354407.tif 000021
【図１８】
2004354407.tif 000022
【図１９】
2004354407.tif 000023
【図２０】
2004354407.tif 000024
【図２１】
2004354407.tif 000025
【図２２】
2004354407.tif 000026
【図２３】
2004354407.tif 000027
【図２４】
2004354407.tif 000028
【図２５】
2004354407.tif 000029
【図２６】
2004354407.tif 000030
【図２７】
2004354407.tif 000031
【図２８】
2004354407.tif 000032
【図２９】
2004354407.tif 000033
【図３０】
2004354407.tif 000034
【図３１】
2004354407.tif 000035
【図３２】
2004354407.tif 000036
【図３３】
2004354407.tif 000037
【図３４】
2004354407.tif 000038